(57)【要約】      （修正有）【課題】重量物の載置が可能であると共に、収納や運搬がし易いようにコンパクト化でき、予備の展示品や交換展示品を収納できる商品展示用台を提供する。【解決手段】天板１、４つの側板及び底板４から構成される折り畳みボックス状の台であって、天板１と側板の接合及び隣接する２つの側板同士の接合は、それぞれ係合凹部及び係合凸部を嵌合させる。また、１つの側板２ａは、窓を有する窓枠部材と、窓枠部材の窓を開け閉め自在で、且つ窓を開けた状態において、窓枠部材により、窓の上部において略水平状態で支持される蓋部材３を備える。【選択図】図２
0003167566.tif 000002
【実用新案登録請求の範囲】
【請求項１】
展示商品が載置される天板、４つの側板及び底板から構成される折り畳みボックス状の台であって、
該天板と該側板の接合、及び隣接する２つの側板同士の接合は、それぞれ係合凹部及び係合凸部の嵌合であり、
該側板の中、少なくとも１つの側板は、窓を有する窓枠部材と、該窓枠部材の窓を開け閉め自在で、且つ窓を開けた状態において、窓枠部材により、窓の上部において略水平状態で支持される蓋部材を備えることを特徴とする商品展示用折り畳み台。
【請求項２】
隣接する２つの側板同士は、更に接合ピンで留められていることを特徴とする請求項１記載の商品展示用折り畳み台。
【請求項３】
該天板及び側板の裏面が、リブ構造であることを特徴とする請求項１又は２記載の商品展示用折り畳み台。
【請求項４】
該窓枠部材は、上下桟部材と、左右桟部材とで四角形状の窓が形成されたものであり、上桟部材の前部下端には下方に延びる上部係止板が形成され、左右桟部材の上部内側には天面と前面を有する蓋部材支持部が形成され、該蓋部材支持部の天面は、該上部係止板の下端より下方に位置し、該蓋部材支持部の前面は、該上部係止板の後端より後方に位置し、該上部係止板と該蓋部材支持部で、該蓋部材の略水平姿勢を支持することを特徴とする請求項１〜３のいずれか１項に記載の商品展示用折り畳み台。
【請求項５】
該下桟部材の前部上端には、上方に突出する下部係止片が形成され、該下部係止片と該上部係止板とで、該蓋部材の起立姿勢を支持することを特徴とする請求項４記載の商品展示用折り畳み台。
【請求項６】
該蓋部材の上部両端には、外側へ延出する突起を形成し、該蓋部材支持部の両外側で且つ該左右桟部材には、該突起が嵌る係止孔が形成されていることを特徴とする請求項１〜５のいずれか１項に記載の商品展示用折り畳み台。
【請求項７】
隣接する２つの側板同士は、該天板及び該底板を外した状態において、２つの側板で形成される内角が、１０度〜１８０度の間で回動自在であることを特徴とする請求項１〜６のいずれか１項に記載の商品展示用折り畳み台。
【請求項８】
該天板の天面には、碁盤目の格子状溝が形成されていることを特徴とする請求項１〜７のいずれか１項に記載の商品展示用折り畳み台。
【請求項９】
該天板の天面には、把持用の貫通孔が形成されていることを特徴とする請求項１〜８のいずれか１項に記載の商品展示用折り畳み台。
【請求項１０】
該天板の天面の周縁には、適宜の間隔及び適宜の数の嵌合用孔が形成されていることを特徴とする請求項１〜９のいずれか１項に記載の商品展示用折り畳み台。
【請求項１１】
該側板には、ＰＯＰ板を支持する係止爪が形成されていることを特徴とする請求項１〜１０のいずれか１項に記載の商品展示用折り畳み台。
【考案の詳細な説明】
【技術分野】
【０００１】
本考案は、商品などの展示を好適に演出すると共に、展示品の収納ボックスも兼ねる折り畳みが可能な商品展示用折り畳み台に関するものである。
【背景技術】
【０００２】
百貨店、量販店などにおいては、中サイズの商品を多数陳列したりすることがある。この場合、中サイズの陳列面を有する強度的に安定な商品展示用台が使用される。また、商品の販売よりも展示を目的とした見本市などのイベントにおいては、中サイズのステージ台を複数横並び又は積み重ねて組立体を構成し、この上に展示品を載せて展示することがある。
【０００３】
従来の商品展示台としては、箱状の台を複数個用意し、並べたり積み重ねたりして大きな展示用のステージ台を造っていた。また、強度の高いスチール製の台を複数個用意し、並べたり積み重ねたりして大きな展示用のステージ台を造っていた。また、陳列面に載置される展示品以外の展示の予備となるストック品や次回展示品などについては、別個の収納ボックスや倉庫で保管していた。
【先行技術文献】
【特許文献】
【０００４】
【特許文献１】特開平６−７２４３８号公報
【考案の概要】
【考案が解決しようとする課題】
【０００５】
しかしながら、従来の商品展示用台は、重量物でしかも折り畳みができないため、収納に場所を採り、また搬送し難いものであった。また、展示品を増やしたり、展示品を交換したりする際、ストック分や交換品については、展示場所から離れたボックスや倉庫等から搬送する必要があり、不便であった。従って、商品展示の際は、強度的に十分でありながら、搬送や収納の際には、コンパクト化が図れ、収納を兼ねた商品展示用台の開発が望まれていた。なお、一般的な折り畳みボックスは、例えば特開平６−７２４３８号公報に記載されるように公知ではあるものの、このような折り畳みボックスは、保管、輸送あるいは搬送用に使用されるものであり、上下逆さ、すなわち底板を天板とし、商品陳列用の台として使用しても強度がないため、重量物を載せることはできないものである。
【０００６】
従って、本考案の目的は、重量物の載置が可能であると共に、収納や運搬がし易いようにコンパクト化できると共に、予備の展示品や交換展示品を収納できる商品展示用折り畳み台を提供することにある。
【課題を解決するための手段】
【０００７】
すなわち、本考案は、上記課題を解決するものであって、展示商品が載置される天板、４つの側板及び底板から構成される折り畳みボックス状の台であって、該天板と該側板の接合、及び隣接する２つの側板同士の接合は、それぞれ係合凹部及び係合凸部の嵌合であり、該側板の中、少なくとも１つの側板は、窓を有する窓枠部材と、該窓枠部材の窓を開け閉め自在で、且つ窓を開けた状態において、窓枠部材により、窓の上部において略水平状態で支持される蓋部材を備えることを特徴とする商品展示用折り畳み台を提供するものである。
【考案の効果】
【０００８】
本考案によれば、予備の展示品や交換展示品等をボックス内部のスペースに収納できる。このため、別途の収納ボックス等が不要であり、且つ展示品の交換作業が容易である。また、開放状態の蓋部材は、内部に押し込まれるため、展示品等の出し入れの障害となることがない。また、蓋部材は、側板の窓枠部材に対して係止により支持されており、ヒンジ部がないため、故障の心配がない。また、天板及び側板の裏面がリブ構造となっているため、折り畳み構造でありながら、組み立てたものは、強度が高く、重量物商品等の載置が可能である。また、不使用時は、天板と底板を外して、折り畳んでコンパクト化できるため、収納や運搬がし易い。また、天板の天面には、碁盤目や嵌合用孔が形成されているため、種々の付属品の後付け設置を可能にして、趣のある展示を種々演出できる。
【図面の簡単な説明】
【０００９】
【図１】本考案の実施の形態における商品展示用折り畳み台の斜視図である。
【図２】図１の商品展示用折り畳み台の他の斜視図である。
【図３】図１の商品展示用折り畳み台の分解斜視図である。
【図４】天板と側板の嵌合を説明する斜視図であり、（Ａ）は嵌合前（Ｂ）は嵌合後を示す。
【図５】隣接する側板同士の嵌合を説明する図であり、（Ａ）は接合ピン挿入前（Ｂ）は接合ピン挿入後を示す。
【図６】隣接する側板同士の嵌合を説明する簡略断面図である。
【図７】蓋部材の開き動作を説明する図である。
【図８】蓋部材の開き動作を説明する他の図である。
【図９】図８に続く、蓋部材の開き動作を説明する他の図である。
【図１０】蓋部材の内部から見た、蓋部材の開き動作を説明する他の図である。
【図１１】図１０に続く、蓋部材の開き動作を説明する他の図である。
【図１２】図１の商品展示用折り畳み台の平面図である。
【図１３】図１の商品展示用折り畳み台の使用例を示す斜視図である。
【図１４】図１の商品展示用折り畳み台の底側から見た斜視図である。
【図１５】図１の商品展示用折り畳み台の折り畳み方法を説明する図である。
【図１６】本考案の商品展示用折り畳み台の他の実施の形態例である。
【考案を実施するための形態】
【００１０】
次に、本考案の実施の形態における商品展示用折り畳み台を図１〜図１５を参照して説明する。本明細書中、特段の説明がない限り、「上」、「下」は、組立体の使用状態における方向を言う。商品展示用折り畳み台１０は、展示商品が載置される天板１、４つの側板２ａ〜２ｄ及び底板４から構成される折り畳みボックス状である。天板１及び４つの側板２ａ〜２ｄは、硬質プラスチック製である。硬質プラスチックとしては、硬質ポリプロピレン等公知のものが使用できる。
【００１１】
天板１の裏面はリブ構造１３である（図４）。リブ構造１３は、縦リブ、横リブ又は斜めリブが組み合わされたものであり、軽量化と高強度を実現することができる。リブとは、所定の高さ及び長さを有する定形断面又は不定形断面の突起を言う。なお、図４は天板１を上下逆さにして側板２ｄを嵌め込むようにしたものである。
【００１２】
天板の裏面の縁部には、側板２ａ〜２ｄの係合凸部２４ａ〜２４ｄに係合する係合凹部１４が形成されている。係合凸部２４ａ〜２４ｄは、横方向に延びる略角形断面突起であり、係合凹部１４は略角形断面突起が隙間なく嵌る構造である。両者の係合関係は、これに限定されず、係合凸部２４ａ〜２４ｄを係合凹部とし、係合凹部１４を係合凸部とするような逆の関係でもよい。また、係合凸部２４ａ〜２４ｄ及び係合凹部１４は、他の公知の係合形態であってもよい。係合凸部２４ａ〜２４ｄと係合凹部１４の係合強度は、手で強く押し込めば嵌り、手で引き離せば外れるような係合である。
【００１３】
天板１の天面には、碁盤目の格子状の溝１４が形成されている。これにより、不図示の他の補助陳列台等を積み重ねた際、補助陳列台の脚部が碁盤目の格子状の溝１４に嵌るため、安定した積み重ねができる。また、天板１の天面のどのような位置であっても、安定した積み重ねができる。なお、天板１の天面にはリブが形成されていない。
【００１４】
天板１の天面の中央からやや端側には、把持用の貫通孔１５がそれぞれ一対、都合４つ形成されている。これにより、天板１の取り付けや取り外し、商品展示用折り畳み台１０の移動あるいは天板１のみの運搬の際、一対の貫通孔１５に手を通し、天板１を容易に把持することができ便利である。
【００１５】
天板１の天面には、適宜の間隔及び適宜の数の嵌合用孔が形成されている。本例では、天面の四隅及び辺部中央に嵌合用孔１７を有する。嵌合用孔１７には、柵部材５やＰＯＰ紙を吊り下げるアーチパイプ等が取り付けられる。また、天板１の４辺の縁には、周方向に１周する溝１６が形成されている。この溝１６には、転落防止板５０が設置される（図１３）。
【００１６】
商品展示用折り畳み台１０は、４つの側板２ａ〜２ｄを有する。４つの側板２ａ〜２ｄの中、１つの側板２ａは、窓を有する窓枠部材２ｘと、窓枠部材２ｘの窓を開け閉め自在で、且つ窓を開けた状態において、窓枠部材２ｘにより、窓の上部において略水平状態で支持される蓋部材３を備える。
【００１７】
窓枠部材２ｘは、上桟部材２４１、下桟部材２４２、右桟部材２４３、左桟部材２４４とで四角形状の窓（開口）２５５が形成されたものであり、上桟部材２４１、下桟部材２４２、右桟部材２４３及び左桟部材２４４の裏面は、縦リブ、横リブ又は斜めリブが組み合わされたリブ構造であり、軽量化と高強度を実現することができる。
【００１８】
上桟部材２４１の上端には、天板１の係合凹部１４と係合する係合凸部２４ａが、長手方向に所定のピッチで４つ形成されている。係合凸部２４ａは、横方向に延びる略角形断面突起であり、天板１の係合凹部１４に隙間なく嵌る。
【００１９】
図３及び図５に示すように、右桟部材２４３の一方の側部は、やや内側に屈曲している。これにより、２つの側板は、重ね折りができる。右桟部材２４３の側部の上下には、隣接する側板２ｂの係合凸部２６ｂが嵌る係合凹部２５ａがそれぞれ形成されている。係合凹部２５ａは、ピン孔２５１ａが形成された板状の上部横リブ２５２ａと下部横リブ２５３ａとからなる。窓枠部材２ｘの係合凹部２５ａと、側板２ｂの係合凸部２６ｂが嵌ることで、窓枠部材２ｘと側板２ｂは、内角が１０度〜１８０度の間で回動自在となる。また、接合ピン７が嵌ることで、２つの側板２ａ、２ｂが外れることを防止している。接合ピン７は、上部及び下部共に、割れ構造でありピン孔に押し込むだけで容易に嵌る。また、上部にピン棒から外側に突出する突起７３を有しており、嵌合後、突起７３は板状の横リブの下方に押し込まれるため、嵌合後は容易に外れない（図６（Ｂ））。
【００２０】
左桟部材２４４の側部の上下には、隣接する側板２ｄの係合凹部２５ｄに嵌る係合凸部２６ａがそれぞれ形成されている。係合凸部２６ａは、ピン孔２６１ａが形成された板状の上部横リブ２５５ａと下部横リブ２５４ａとこれらに接続する部分円弧断面の側板２５６ａで形成されている。窓枠部材２ｘの係合凸部２６ａと、側板２ｄの係合凹部２６ｄが嵌ることで、窓枠部材２ｘと側板２ｄは、内角が１０度〜１８０度の間で回動自在となる。また、接合ピン７が嵌ることで、２つの側板２ａ、２ｄが外れることを防止している。なお、窓枠部材２ｘと側板２ｂの係合又は窓枠部材２ｘと側板２ｄの係合は、他の２つの側板の係合、すなわち、側板２ｂと側板２ｃの係合と同じであり、図５を参照することになる。
【００２１】
窓枠部材２ｘには、蓋部材３を支持する蓋部材支持構造を有する。蓋部材支持構造は、窓枠部材２ｘの上桟部材２４１の前部下端に形成された下方に延びる上部係止板２１１と、左右桟部材２４３、２４４の上部内側に形成された蓋部材支持部２７ａの天面２７１ａと前面２７２ａを有する蓋部材支持部２７ａとで構成され、蓋部材支持部２７ａの天面２７１ａは、上部係止板２１１の下端２１４より下方に位置し、蓋部材支持部２７ａの前面２７２ａは、上部係止板２１１の後端２１３より後方に位置し、上部係止板２１１と蓋部材支持部２７ａで、蓋部材３の略水平姿勢を支持する。
【００２２】
すなわち、蓋部材支持部２７ａの天面２７１ａと上部係止板２１１の下端２１５間の寸法ｗ２は、蓋部材３の最大厚さよりやや大であり、蓋部材３が水平姿勢で前後方向に出し入れ自在となるような隙間である。また、蓋部材支持部２７ａの前面２７２ａと上部係止板２１１の後端２１３間の寸法ｗ１は、蓋部材３の上下端の薄肉係止部の厚さｗ３よりやや大であり、蓋部材３が起立姿勢で上下方向に移動自在となるような隙間である。すなわち、窓枠部材２ｘにおける蓋部材支持部２７ａの上方には、側面視でＬ字形状の隙間２１２を有する。このような隙間２１２は、蓋部材３の上部が９０度回転することを許容する。なお、左右一対の蓋部材支持部２７ａの天面２７１ａは、蓋部材３が水平姿勢に安定して支持できる面積を有していればよい。
【００２３】
下桟部材２４２の前部上端には、上方に突出する下部係止片２１９が形成されている。すなわち、蓋部材３は、下部係止片２１９、上部係止板２１１及び蓋部材支持部２７ａとで、起立姿勢となるように支持される。また、蓋部材支持部２７ａの両外側で且つ左右桟部材２４３、２４４には、蓋部材３の突起３４が嵌る係止孔２８ａが形成されている。これにより、蓋部材３が略水平状態で且つ収納状態から前方へ引き出された際、窓枠部材２ｘから外れることはない。
【００２４】
また、下桟部材２４２の裏面のリブ構造には、底板４が載置される支持板２３１ａが形成されている。支持板２３１ａは裏面のリブ構造の内側端から内側へ突出しており、この突出部で底板４を支持する。また、下桟部材２４２の下面のリブ構造には、キャスター５が設置される支持部２３２ａが形成されている。これにより、ボルト５１等の固定具により、キャスター５を設置することができる（図３及び図１４）。
【００２５】
蓋部材３は、窓枠部材２ｘの窓２５５を開け閉め自在で、且つ窓２５５を開けた状態において、窓枠部材２ｘにより、窓の上部において略水平状態で支持されるものである（図９（Ｆ））。すなわち、本例の蓋部材３は板状体であって、下端には窓枠部材２ｘの下桟部材２４２の下部係止片２１９に係止する扉係止片３３が形成され、扉係止片３３の直上には、前方へ突出する扉支持係止片３１が形成され、蓋部材３の上部両側には、外側へ突出する突起３４が形成されている。蓋部材３の上部の薄肉の板状部３２は、窓枠部材２ｘの上桟部材２４１の上部係止板２１１に係止するものである。また、蓋部材３の表面は、上部の薄肉の板状部３２を残して、枠状に囲まれた凹状の表示部３５を形成している。表示部３５の上下には、ＰＯＰ（Ｐｏｉｎｔ  ｏｆ  Ｐｕｒｐｏｓｅ）板を支持する係止爪３６が形成されている。なお、「板状体」とは、裏面が平坦面の矩形状であって、厚さの異なる部位、リブ部及び突起部等が有していてもよい広い意味である。
【００２６】
側板２ｂ〜２ｄの裏面は、縦リブ、横リブ又は斜めリブが組み合わされたリブ構造であり、軽量化と高強度を実現することができる。
【００２７】
側板２ｂ〜２ｄの上端には、天板１の係合凹部１４と係合する係合凸部２４ｂ〜２４ｄが、長手方向に所定のピッチで４つ形成されている。係合凸部２４ｂ〜２４ｄは、横方向に延びる略角形断面突起であり、天板の係合凹部１４に隙間なく嵌る。係合凸部２４ｂ〜２４ｄと係合凹部１４の係合関係は、係合凸部２４ｂ〜２４ｄを係合凹部とし、係合凹部１４を係合凸部とするような逆の関係でもよい。
【００２８】
側板２ｂ〜２ｄの一方の側部は、やや内側に屈曲している。これにより、２つの側板は、重ね折りができる。側板２ｂ〜２ｄの一方の側部の上下には、隣接する側板２ｃ、２ｄ、２ａの係合凸部２６ｃ、２６ｄ、２６ａが嵌る係合凹部２５ｂ〜２５ｄがそれぞれ形成されている。図５に示すように、係合凹部２５ｂ〜２５ｄは、ピン孔が形成された板状の上部横リブ２５３ｂ〜ｄと下部横リブ２５２ｂ〜ｄとからなる。側板２ｂ〜２ｄの係合凹部２５ｂ〜２５ｄと、隣接する側板２ｃ、２ｄ、２ａの係合凸部２６ｃ、２６ｄ、２６ａが嵌ることで、側板２ｂ〜２ｄと、隣接する側板２ｃ、２ｄ、２ａは、内角が１０度〜１８０度の間で回動自在となる。また、接合ピン７が嵌ることで、２つの側板２ｂ〜２ｄと隣接する側板２ｃ、２ｄ、２ａ、すなわち、側板２ｂと側板２ｃ、側板２ｃと側板２ｄ、側板２ｄと側板２ａ、側板２ａと側板２ｂが外れることを防止している。
【００２９】
側板２ｂ〜２ｄの他方の側部の上下には、隣接する側板２ａ、２ｄ、２ｃの係合凹部２５ａ、２５ｄ、２５ｃに嵌る係合凸部２６ｂ〜２６ｄがそれぞれ形成されている。係合凸部２６ｂ〜２６ｄは、ピン孔が形成された板状の上部横リブ２５５ｂ〜２５５ｄと下部横リブ２５４ｂ〜２５４ｄとこれらに接続する部分円弧断面の側板２５６ｂ〜２５６ｄで形成されている。側板２ｂ〜２ｄの係合凸部２６ｂ〜２６ｄと、隣接する側板２ａ、２ｄ、２ｃの係合凹部２５ａ、２５ｄ、２５ｃが嵌ることで、側板２ｂ〜２ｄと隣接する側板２ａ、２ｄ、２ｃは、内角が１０度〜１８０度の間で回動自在となる。また、接合ピン７が嵌ることで、２つの側板２ｂ〜２ｄと、隣接する側板２ａ、２ｄ、２ｃ、すなわち、側板２ｂと側板２ａ、側板２ａと側板２ｄ、側板２ｄと側板２ｃ、側板２ｃと側板２ｂが外れることを防止している。
【００３０】
また、側板２ｂ〜２ｄの裏面のリブ構造には、底板４が載置される支持板２３１ｂ〜２３１ｄが形成されている。支持板２３１ｂ〜２３１ｄは裏面のリブ構造から内側へ僅かに突出しており、この突出部で底板４を支持する。また、側板２ｂ〜２ｄの下面のリブ構造には、キャスター５が設置される支持部２３２ｂ〜２３２ｄが形成されている。これにより、ボルト５１等の固定具により、キャスター５を設置することができる。
【００３１】
また、側板２ｂ〜２ｄの表面は、凹状の表示部２２１を形成している。凹状の表示部２２１の上下には、ＰＯＰ（ｐｏｉｎｔ  ｏｆ  ｐｕｒｐｏｓｅ）板を支持する係止爪３６が形成されている。
【００３２】
次に、商品展示用折り畳み台１０を組立てる方法の一例を説明する。先ず、窓枠部材２ｘ及び側板２ｂ〜２ｄを準備する。窓枠部材２ｘ及び側板２ｂ〜２ｄは、互いの係合凹部２５ａ〜２５ｄ及び係合凸部２６ａ〜２６ｄを係合し、更に接合ピン７をピン孔に挿入することで、接続することができる。次いで、蓋部材３を窓枠部材２ｘに組み込む。蓋部材３は、窓枠部材２ｘ及び側板２ｂ〜２ｄの組立体の内側から外側に挿入することで組み込む。すなわち、蓋部材３の下端を、窓枠部材２ｘの蓋部材支持部２７ａ上方の隙間に入れ、蓋部材３を内側から外側に通す。この際、窓枠部材２ｘの窓幅は、蓋部材３の幅寸法より若干大きいため、円滑に通すことができる。蓋部材３が、窓枠部材２ｘの蓋部材支持部２７ａ上方の隙間に通されると、蓋部材３の両側の突起３４が、窓枠部材２ｘの左右桟部材２４３、２４４に当接し、係止孔２８ａに嵌るため、蓋部材３は、窓枠部材２ｘから外れることはない。次いで、蓋部材３の両側の突起３４を回転中心として下方側へ回動させ、蓋部材３の扉係止片３３を窓枠部材２ｘの下部係止片２１９に係止させ、蓋部材３を起立姿勢として、窓を塞ぐ。なお、キャスター５はこの段階で、取り付けてもよく。また、組立体を形成する前に、予め側板２ａ〜２ｄに取り付けておいてもよい。このような組立体を、図１５（Ａ）に示す。
【００３３】
次いで、底板４を組立体の上方に位置させ、下方に向けて下降させる。底板４は、組立体のリブ構造で形成される内寸法よりやや小さいため、組立体の内部の下方まで円滑に入れ込むことができる。そして、底板４は、側板２ａ〜２ｄの支持板２３１ａ〜２３１ｄに載置される。すなわち、底板４は側板２ａ〜２ｄの支持板２３１ａ〜２３１ｄに置かれたままである。なお、底板４の中心に形成された貫通孔４１は、折り畳みの際、手が掛けられる把持部である。
【００３４】
次いで、４つの側板２ａ〜２ｄの係合凸部２４ａ〜２４ｄと天板１の係合凹部１４を係合させて、天板１と４つの側板２ａ〜２ｄを接続する。これにより、図１のような商品展示用折り畳み台１０が得られる。
【００３５】
次いで、商品展示用折り畳み台１０の使用方法について説明する。商品展示用折り畳み台１０の天板１には、例えば天板１の周溝１６に透明のアクリル板を嵌め込み、展示商品の転落防止機能を付与できる。また、不図示のＰＯＰ吊り下げ用のアーチを設置すれば、展示商品の展示の演出を高めることができる。また、ストック用及び取り換え用の商品を商品展示用折り畳み台１０の中に収納することができる。すなわち、商品展示用折り畳み台１０の内部は、収納ボックスの機能も有している。
【００３６】
また、側板２ａ〜２ｄの表面にＰＯＰ板を設置してもよい。ＰＯＰ板は、展示商品情報等が人目に付くように記載された掲示板であり、展示の演出を高めることができる。ＰＯＰ板は、側板２ａ〜２ｄの上部及び下部に形成された係止爪２２ａ〜２２ｄ間に嵌めれば固定できる。また、商品展示用折り畳み台１０は、２台以上の商品展示用折り畳み台１０を縦又は横並びで使用することができる。
【００３７】
次いで、商品展示用折り畳み台１０の蓋部材３の開閉方法を図７及び図８〜図１１を参照して説明する。蓋部材３が窓を閉じた状態の商品展示用折り畳み台１０は、図１、図７（Ａ）、図８（Ｂ）及び図１０（Ａ）に示したものである。この状態から蓋部材３の扉支持係止片３１に手を掛け、次いで、蓋部材３の先端３２１が上桟部材２４１に当接するか又は蓋部材３の両側の突起３４が係止孔２８ａの上端に当たるまで、蓋部材３を少し（図７（Ｂ）の符号ｈ１分）上方へ移動させる（図７（Ｂ）、図８（Ｃ）及び図１０（Ｂ））。次いで、蓋部材３の両側の突起３４を回転中心として、蓋部材３を上方に回動させる（図８（Ｄ）、図１０（Ｃ））。この場合、蓋部材３の突起３４より上部は、蓋部材支持部材２７ａ上のＬ字断面形状の隙間内において、９０度下方へ回動することができる。すなわち、蓋部材３を、蓋部材３の突起３４より上部が、蓋部材支持部材２７ａの天面２１２に当接した状態、すなわち、水平姿勢となるまで回動させる（図７（Ｃ）、図９（Ｅ）、図１１（Ｄ））。この状態において、窓２５５は全開状態であるが、蓋部材３の支持が不安定であるため、蓋部材３は商品展示用折り畳み台１０の中に押し込まれる。そして、蓋部材３の一部、すなわち、蓋部材３の下方の裏面が蓋部材支持部材２７ａの天面２１２に当接する。この場合、蓋部材３の重心は蓋部材支持部材２７ａより内側にあるが、扉支持係止片３１が上桟部材２４１の上部係止板２１１に係止しているため、蓋部材３は、概ね水平姿勢を維持できる。すなわち、蓋部材３は窓枠部材２ｘにより、略水平状態で支持される（図７（Ｄ）、図９（Ｆ））。このように、蓋部材３は窓を開けた状態において、商品展示用折り畳み台１０の内部に収容されるため、ストック商品等の出し入れの障害とならない。
【００３８】
次いで、窓２５５を閉じるには、上記の蓋部材３を開ける手順とは逆の手順で行なう。すなわち、図７（Ｄ）及び図９（Ｆ）に示すように、蓋部材３が開かれ、窓が開いた状態から蓋部材３を手前に引き出す。蓋部材３を引き出すと、蓋部材３の突起３４が係止孔２８ａに当たり、蓋部材３の転落を防止する（図７（Ｃ）、図９（Ｅ）、図１１（Ｄ））。次いで、蓋部材３の両側の突起３４を回転中心として、蓋部材３を下方に回動させる（図８（Ｄ）、図１０（Ｃ））。この場合、蓋部材３の突起３４より上部は、蓋部材支持部材２７ａ上のＬ字断面形状の隙間内において、９０度上方へ回動することができる。すなわち、蓋部材３を、蓋部材３の突起３４より上部が、上桟部材２４１の上部係止片２１１の裏面２１３に当接した状態、すなわち、垂直姿勢となるまで回動させる（図７（Ｂ）、図８（Ｃ）、図１０（Ｂ））。次いで、蓋部材３の扉係止片３３を窓枠部材２ｘの下部係止片２１９に係止させ、蓋部材３を起立姿勢として、窓を塞ぐ。このように、蓋部材支持構造は、蓋部材３の開け閉めにおいて、ネジ部材等を使用しないため、簡易な構造であり、操作が簡単で故障が少ない。また、窓を閉めた状態においては、他の３つの側板と同様に、ＰＯＰ板の設置を可能としている。
【００３９】
次いで、商品展示用折り畳み台１０の折り畳み方法について図１及び図１５（Ａ）〜（Ｃ）を参照して説明する。先ず、図１の商品展示用折り畳み台１０の天板１と側板４を取り除く。天板１は天板１の把持部１５に手を掛けて引き上げれば、底板２ａ〜２ｄから外すことができる。また、底板４は、底板４の把持部４１に手を掛けて引き上げれば、側板２ａ〜２ｄから取り外すことができる（図１５（Ａ））。
【００４０】
次いで、４つの側板２ａ〜２ｄにおける対峙する２つの接続部を内側に寄せる。これにより、４つの側板２ａ〜２ｄは平面視で菱形になりつつ（図１５（Ｂ））、折り畳まれて二枚重ねとなる（図１５（Ｃ））。なお、折り畳まれた商品展示用折り畳み台１０は、中央部の接続部の内側に少し隙間ができても、また、隙間がない完全な折り畳み状態のいずれであってもよい。このように、折り畳まれた商品展示用折り畳み台１０は、板状体となるため、運搬がし易く、保管スペースを採らない。
【００４１】
本考案の商品展示用折り畳み台１０は、上記実施の形態例に限定されず、種々の変形を採ることができる。すなわち、商品展示用折り畳み台１０は、図１のものより、長手方向の少し長いものであってもよい。その場合、４つの側板は適宜、本考案の効果を奏するように、大きさが決定される。
【００４２】
商品展示用折り畳み台１０において、窓枠部材と蓋部材から構成される側板は、上記実施の形態例に制限されず、４つの側板の２つ以上に形成されていてもよい。また、商品展示用折り畳み台１０において、天板１の構造は、上記実施の形態例に制限されず、例えば図１６に示すように、全体がトレー形状であって、天板１ａの底面に、対角線状に幅広の溝１６ａを形成し、四角形を形成するような部分溝１７ａを形成してもよい。これらの溝１７ａは、陳列補助具の係止部が嵌ることになる。図１６の商品展示用折り畳み台１０ｂも、商品展示用折り畳み台１０と同様の作用効果を奏する。
【産業上の利用可能性】
【００４３】
本考案によれば、重量物の載置が可能であると共に、収納や運搬がし易いようにコンパクト化できるため、特に、展示形態の変更が頻繁に行われるスーパーや量販店等において好適である。また、予備の展示品や交換展示品を内部に収納できるため、別途の保管ボックスが不要となる。また、蓋部材が開いた状態において、内部に収納状態となるため、内部に保管された商品等の出し入れが安全且つ容易である。
【符号の説明】
【００４４】
１            天板
２ａ〜２ｄ    側板
３            蓋部材
４            底板
５            キャスター
７            接合ピン
１０、１０ａ、１０ｂ    商品展示用折り畳み台
１３、２３ａ〜２３ｄ    リブ構造
１４            天板の係合凹部
２４ａ〜２４ｄ          側板上部の係合凸部
２５ａ〜２５ｄ          側板側部の係合凹部
２６ａ〜２６ｄ          側板側部の係合凸部
２７ａ          蓋部材支持部
２８ａ          係止孔
２４１〜２４４        桟部材  
３４            突起
２ｘ            窓枠部材
【図１】
0003167566.tif 000003
【図２】
0003167566.tif 000004
【図３】
0003167566.tif 000005
【図４】
0003167566.tif 000006
【図５】
0003167566.tif 000007
【図６】
0003167566.tif 000008
【図７】
0003167566.tif 000009
【図８】
0003167566.tif 000010
【図９】
0003167566.tif 000011
【図１０】
0003167566.tif 000012
【図１１】
0003167566.tif 000013
【図１２】
0003167566.tif 000014
【図１３】
0003167566.tif 000015
【図１４】
0003167566.tif 000016
【図１５】
0003167566.tif 000017
【図１６】
0003167566.tif 000018